(57)【要約】【課題】省電力モードの状態で動作実行指令を受けた場合であっても、速やかにその動作を実行することのできる電子機器或いは記録装置を提供する。【解決手段】制御ＡＳＩＣ６１は、第１センサ制御部８１及び第２センサ制御部８２を備えており、これらセンサ制御部により、各センサ類への電力供給／遮断の切替が行われる。省電力モードにおいて、ＣＲリニアエンコーダ７２に対する給電を制御する第１センサ制御部８１は給電状態を維持し、これにより省電力モードにおいてキャリッジ４０が外部から動かされた場合であっても、省電力モード解除後にキャリッジ４０のホームポジションシークを行うことなく、速やかに記録動作を開始することができる。【選択図】図２
2009298060.tif 000002
【特許請求の範囲】
【請求項１】
被記録媒体に記録を行う記録装置であって、
前記記録装置の制御手段は、省電力モードにおいて、制御対象である少なくとも１つの駆動部の動作を検出する動作検出手段への電力供給を行うとともに、前記駆動部の動作量を監視する、
ことを特徴とする記録装置。
【請求項２】
請求項１に記載の記録装置において、前記制御手段は、省電力モードにおいて前記動作検出手段が前記駆動部の動作を検出すると、前記省電力モードを解除する、
ことを特徴とする記録装置。
【請求項３】
請求項２に記載の記録装置において、前記制御手段は、省電力モードの解除後、被記録媒体に記録を行う記録ヘッドのメンテナンス動作を実行する、
ことを特徴とする記録装置。
【請求項４】
請求項１から３のいずれか１項に記載の記録装置において、被記録媒体を搬送する、前記駆動部としての搬送ローラと、
前記搬送ローラの回転を検出する、前記動作検出手段としての回転検出手段と、
装置内部から外部へと進出することにより薄板状体がセット可能となるセット位置と、前記薄板状体に記録を行う記録位置と、装置内部に収納される収納位置と、をとり得るように変位可能に設けられるトレイと、
前記搬送ローラを介してモータの動力を受けることにより前記トレイを変位させるトレイ駆動手段と、を備え、
前記制御手段は、省電力モードにおいて、前記回転検出手段が前記搬送ローラの回転を検出した場合に、省電力モードを解除することを特徴とする記録装置。
【請求項５】
少なくとも１つの駆動部と、
前記駆動部の動作を検出する動作検出手段と、
前記動作検出手段から送出される情報に基づいた前記駆動部の動作制御、および当該駆動部と前記動作検出手段に対する電力供給制御を行う制御手段と、を備え、
前記制御手段は、省電力モードにおいて、前記動作検出手段への電力供給を行うとともに、前記駆動部の動作量を監視する、
ことを特徴とする電子機器。
【発明の詳細な説明】
【技術分野】
【０００１】
本発明は、ファクシミリやプリンタ等に代表される記録装置、および電子機器に関する。
【背景技術】
【０００２】
ファクシミリやプリンタ等に代表される記録装置においては、電源オン状態において一定時間何らの操作がなされない場合、或いは一定時間外部からの情報が入力されない場合に、省電力モードに移行するよう構成されており、この省電力モードに関する従来技術は、例えば特許文献１〜５に示されている。
【０００３】
その中で特許文献１には、省電力モードへの移行時に、キャリッジの位置を検出するセンサへの給電を止め、省電力モードの解除後、キャリッジホームシークを行うように構成されたシリアルプリンタが開示されている。
【０００４】
尚、特許文献２には、省電力モードからの復帰時間を短縮するために省電力モード時において定着ヒータへ電力を供給するとともに、装置の各種ドアの開閉を検知するドア開閉センサへも電力を供給し、ドア開閉センサがドアの開を検知すると、安全性確保のために定着ヒータへの電力供給を止めるよう構成された画像形成装置が開示されている。
【０００５】
また特許文献５には、イメージスキャナが備える原稿台カバーの開閉を検知するセンサへの給電を省電力モードにおいても行い、原稿台カバーの開閉が検知されると、省電力モードを解除するよう構成されたイメージ読取装置が開示されている。
【特許文献１】特開２００５−２３８５５７号公報
【特許文献２】特開２００５−２５０３２６号公報
【特許文献３】特開２００７−１６８２９５号公報
【特許文献４】特開２００６−２０１８６８号公報
【特許文献５】特開２００４−３５７０２３号公報
【発明の開示】
【発明が解決しようとする課題】
【０００６】
しかしながらシリアルプリンタにおいてキャリッジホームシークには相応の時間を要する為、省電力モード状態において記録実行指令を送信しても、記録動作を開始する迄に時間を要し、ユーザに対して好ましくない待ち時間を与えていた。この様な技術的課題およびそれを解決するための手段については、上記特許文献１〜５のいずれにおいても記載されていない。
【０００７】
そこで本発明はこの様な状況に鑑み成されたものであり、その目的は、省電力モードの状態で動作実行指令を受けた場合であっても、速やかにその動作を実行することのできる電子機器或いは記録装置を提供することにある。
【課題を解決するための手段】
【０００８】
上記課題を解決するために、本発明の第１の態様に係る記録装置は、被記録媒体に記録を行う記録装置であって、前記記録装置の制御手段は、省電力モードにおいて、制御対象である少なくとも１つの駆動部の動作を検出する動作検出手段への電力供給を行うとともに、前記駆動部の動作量を監視することを特徴とする。
【０００９】
本態様によれば、記録装置の制御手段は、省電力モードにおいて駆動部の動作を検出する動作検出手段への電力供給を行うとともに、前記駆動部の動作量を監視するので、省電力モードを解除した後に、前記駆動部の位置などを把握する為のリセット動作やホームポジションシークなどを行うことなく、前記駆動部の現在状態（位置、姿勢、など）を把握することができ、従って省電力モードの状態で記録実行指令を受けると、速やかに記録動作を開始することができる。
【００１０】
本発明の第２の態様に係る記録装置は、第１の態様において、前記制御手段は、省電力モードにおいて前記動作検出手段が前記駆動部の動作を検出すると、前記省電力モードを解除することを特徴とする。
【００１１】
本態様によれば、制御手段は省電力モードにおいて駆動部の動作を検出すると、省電力モードを解除するので、駆動部が外部から動かされたような好ましくない状態が長期間放置されることにより装置に悪影響が生じることを防止できる。
【００１２】
本発明の第３の態様に係る記録装置は、第２の態様において、前記制御手段は、省電力モードの解除後、被記録媒体に記録を行う記録ヘッドのメンテナンス動作を実行することを特徴とする。
【００１３】
省電力モードにおいて駆動部が外部から動かされた場合、装置に何らかの衝撃が加わった可能性があり、その場合記録ヘッドがインクジェット記録ヘッドであるとノズル内に気泡が生じドット抜けが発生する虞がある。しかし制御装置は、省電力モードの解除後、記録ヘッドのメンテナンス動作（例えば、インク吐出ノズルからのインク吸引）を実行するので、その様な不具合の発生を防止できる。
【００１４】
本発明の第４の態様に係る記録装置は、第１から第３の態様において、被記録媒体を搬送する、前記駆動部としての搬送ローラと、前記搬送ローラの回転を検出する、前記動作検出手段としての回転検出手段と、装置内部から外部へと進出することにより薄板状体がセット可能となるセット位置と、前記薄板状体に記録を行う記録位置と、装置内部に収納される収納位置と、をとり得るように変位可能に設けられるトレイと、前記搬送ローラを介してモータの動力を受けることにより前記トレイを変位させるトレイ駆動手段と、を備え、前記制御手段は、省電力モードにおいて、前記回転検出手段が前記搬送ローラの回転を検出した場合に、省電力モードの解除することを特徴とする。
【００１５】
省電力モードにおいて上記回転検出手段が上記搬送ローラの回転を検出した場合、ユーザが何らかの操作を行うべく上記トレイが外部から動かされたと判断することができる。従ってこの様な場合、省電力モードを解除することで、トレイを用いた記録動作を速やかに開始することができる。
【００１６】
本発明の第５の態様に係る電子機器は、少なくとも１つの駆動部と、前記駆動部の動作を検出する動作検出手段と、前記動作検出手段から送出される情報に基づいた前記駆動部の動作制御、および当該駆動部と前記動作検出手段に対する電力供給制御を行う制御手段と、を備え、前記制御手段は、省電力モードにおいて、前記動作検出手段への電力供給を行うとともに、前記駆動部の動作量を監視することを特徴とする。
【００１７】
本態様によれば、電子機器の制御手段は、省電力モードにおいて駆動部の動作を検出する動作検出手段への電力供給を行うとともに、前記駆動部の動作量を監視するので、省電力モードを解除した後に、前記駆動部の位置などを把握する為のリセット動作やホームポジションシークなどを行うことなく、前記駆動部の現在状態（位置、姿勢、など）を把握することができ、従って省電力モードの状態で動作実行指令を受けると、速やかにその動作を実行することができる。
【発明を実施するための最良の形態】
【００１８】
以下、図１乃至図５を参照しつつ本発明の一実施形態について説明する。図１は本発明に係る電子機器の一例である記録装置、特にその中の一例であるインクジェットプリンタ（以下「プリンタ」と言う）１の用紙搬送経路を示す側断面図、図２は制御装置７を中心とした制御系のブロック図、図３はキャリッジ４０の移動領域を模式的に示す説明図、図４は省電力モード移行までのプロセスを示すフローチャート、図５は省電力モードを解除する際のプロセスを示すフローチャートである。
【００１９】
以下、図１乃至図３を参照しながらプリンタ１の構成について説明する。プリンタ１は、装置底部に給送装置２を備え、当該給送装置２から記録用紙Ｐを１枚ずつ給送し、記録手段４においてインクジェット記録を行い、装置前方側（図１において左側）に設けられた図示しない排紙スタッカへ向けて排出するシリアル型プリンタである。
【００２０】
またプリンタ１は、装置上部に図１では図示を省略する画像読取部（スキャナユニット）８０を備えており（図２）、この画像読取部にて読み込んだ原稿画像を記録データとしてインクジェット記録を行うことのできるスタンドアロン型プリンタとして構成されている。
【００２１】
以下、各構成要素について詳説する。給送装置２は、用紙カセット１１と、ピックアップローラ１６と、ガイドローラ２０と、分離手段２１と、を備えている。ＰＦ（用紙送り）モータ７１（図２）によって回転駆動されるピックアップローラ１６は、揺動軸１８を中心に揺動する揺動部材１７に設けられ、用紙カセット１１に収容された用紙と接して回転することにより、当該最上位の用紙Ｐを用紙カセット１１から送り出す。
【００２２】
用紙カセット１１から送り出された用紙Ｐは、分離部材１２により第１段階分離が行われた後、更にガイドローラ２０に案内されながら下流側に進み、分離ローラ２２と駆動ローラ２３とを備えて構成された分離手段２１により第２段階分離が行われる。
【００２３】
分離手段２１の下流側には、ＰＦモータ７１（図２）により回転駆動される駆動ローラ２６と、駆動ローラ２６との間で用紙Ｐをニップして従動回転するアシストローラ２７と、を備えて構成された第１中間送り部２５が設けられており、この第１中間送り部２５により、用紙Ｐが更に下流側へと送られる。尚、符号２９は、用紙Ｐが湾曲反転経路を通過する際の（特に用紙後端が通過する際の）通紙負荷を軽減する従動ローラを示している。
【００２４】
従動ローラ２９の下流側にはＰＦモータ７１（図２）により回転駆動される駆動ローラ３２と、駆動ローラ３２との間で用紙Ｐをニップして従動回転するアシストローラ３３と、を備えて構成された第２中間送り部３１が設けられており、この第２中間送り部３１により、用紙Ｐが更に下流側へと送られる。
【００２５】
第２中間送り部３１の下流側には、記録手段４が配置されている。記録手段４は、搬送手段５と、記録ヘッド４２と、紙案内前３９と、排出手段６と、を備えている。搬送手段５は、ＰＦモータ７１（図２）によって回転駆動される搬送ローラとしての搬送駆動ローラ３５と、該搬送駆動ローラ３５に圧接して従動回転するよう紙案内上３７に軸支される搬送従動ローラ３６とを備えて構成され、この搬送手段５により用紙Ｐが記録ヘッド４２と対向する位置に向けて精密送りされる。
【００２６】
尚、符号７４は用紙Ｐの通過を検出する媒体検出手段としての用紙検出センサ（例えば、光学センサにより構成される）を示しており、後述する制御装置７は、この用紙検出センサ７４により、用紙Ｐの先端或いは後端の通過を検出可能となっている。
【００２７】
記録ヘッド４２はキャリッジ４０の底部に設けられ、当該キャリッジ４０は記録ヘッド４２の走査方向（図１の紙面表裏方向）に延びるキャリッジガイド軸４１にガイドされながら、ＣＲ（キャリッジ）モータ７０（図２）によって前記走査方向に往復動する様に駆動される。記録ヘッド４２と対向する位置には紙案内前３９が設けられ、当該紙案内前３９によって、用紙Ｐと用紙Ｐとの距離が規定されるようになっている。
【００２８】
キャリッジガイド軸４１は、図示を省略するオートギャップ調整機構（以下「ＡＰＧ機構」と言う）により上下動可能となっており、このＡＰＧ機構により、記録を行う媒体の厚みに応じて、記録ヘッド４２のヘッド面と紙案内前３９との距離（ギャップ：以下適宜「ＰＧ」とも言う）を調整可能となっている。
【００２９】
尚、符号７５はＰＷセンサであり、このＰＷセンサ７５はキャリッジ４０の底部に設けられる光学センサであって、紙案内前３９に向けて発光する発光部（図示せず）と、その反射光を受光する受光部（図示せず）とを備えて構成されている。そして紙案内上３９に向けて放射した放射光の反射光を受光し、その反射光を電流に変換して、後述する制御装置７へ送出する。従ってこれにより制御装置７は、被検出対象（紙案内上３９や記録用紙Ｐ）に応じた検出値（電流値）を判断することにより、用紙Ｐの有無や、キャリッジ４０の移動に伴うＰＷセンサ７５のセンシングにより用紙Ｐの幅を検出可能となっている。
【００３０】
ここで、キャリッジガイド軸４１は図３に示すようにプリンタ１の基体を構成するサイドフレーム８Ａ、８Ｂに支持されており、サイドフレーム８Ａ側にキャリッジ４０のホームポジションが設定されている。このホームポジションには、キャリッジ４０がホームポジションから移動しないようロックするロック手段としてのロックレバー４７が設けられている。
【００３１】
ロックレバー４７は、ロックレバー進退機構７６によりキャリッジ４０に対して進退可能に設けられており、進出することにより、その先端がキャリッジ４０に形成された穴４０ａに嵌入し、キャリッジ４０をホームポジションにロックする。
【００３２】
また符号４８は記録ヘッド４２のノズル面を封止するキャッピング装置を示している。このキャッピング装置４８は、図示を省略する昇降機構を備えており、キャリッジ４０が記録領域側にいるときは下方に退避している。そしてキャリッジ４０がホームポジション側に移動してくると、キャリッジ４０と係合してキャリッジ４０に押されることにより、記録ヘッド４２のノズル面を封止する位置まで上昇するように構成されている。
【００３３】
またキャッピング装置４８は、図示を省略するポンプ装置と連通しており、このポンプ装置によりキャップ内部に負圧を生じさせ、記録ヘッド４２のインク吐出ノズルからインクを吸引する等のメンテナンスを実行する。
【００３４】
続いて、図１に戻って紙案内前３９の下流側に設けられた排出手段６は、ＰＦモータ７１（図２）によって回転駆動される排出駆動ローラ４４と、当該排出駆動ローラ４４に接して従動回転する排出従動ローラ４５とを備えて構成され、記録手段４によって記録の行われた用紙Ｐは、排出手段６により、装置前方側に設けられた図示を省略するスタッカへと排出される。
【００３５】
尚、プリンタ１は、装置後方に図示を省略する両面ユニットを着脱自在に備えており、最初に記録の行われた用紙Ｐの第１面に対し反対側の第２面が記録ヘッド４２と対向するよう湾曲反転させ、これにより用紙Ｐの両面に記録が実行可能となっている。
【００３６】
またプリンタ１は、薄板状体の一例としての光ディスク（図示せず）をセット可能なディスクトレイ１０を内蔵しており、このディスクトレイ１０に光ディスクをセットすることにより、ラベル面に直接インクジェット記録が可能となっている。
【００３７】
このディスクトレイ１０は、後述する動力伝達切換装置５０を介して搬送駆動ローラ３５から動力を受けるトレイ駆動部（図示省略）により、図１に示す収納位置と、排出手段６の下流側（装置外部）にまで進出して光ディスクがセット可能となるセット位置と、の間を変位可能であり、前記収納位置とセット位置との間に、記録ヘッド４２により記録を行う記録位置が配置されている。
【００３８】
尚、ディスクトレイ１０の収納位置にはトレイ収納センサ７６（図２）が設けられており、このトレイ収納センサ７６により、ディスクトレイ１０が収納位置にあるか否かを検出可能となっている。
【００３９】
以上がプリンタ１の構成であり、以下図２を参照しながら制御装置７およびその周辺の構成要素について説明する。  
プリンタ１は動力源として２つのモータを備えており、その一つがＰＦモータ７１であり、もう一つがＣＲモータ７０である。そしてこれら２つのモータは、制御装置７により制御される。
【００４０】
ＰＦモータ７１は、搬送駆動ローラ３５（搬送手段５）、駆動ローラ４４（排出手段６）、駆動ローラ３２（第２中間送り部３１）、などの用紙搬送経路に設けられるローラの共通の駆動源であるとともに、動力伝達切換装置５０を介して、プリンタ１において動力を必要とする種々の駆動部を選択的に駆動する。
【００４１】
図２において「選択駆動部」はこれら複数の駆動部を示しており、本実施形態では、上述した給送装置２、及び図示を省略するポンプ装置、ＡＰＧ機構、両面ユニット、トレイ駆動部、のこれらが含まれる。尚、動力伝達切換装置５０は、搬送駆動ローラ３５を動力軸とし、当該搬送駆動ローラ３５の回転方向切り替えと、キャリッジ４０からのトリガ付与と、を利用して、動力を伝達する駆動部を選択するように構成されている。
【００４２】
続いてＣＲモータ７０は、キャリッジ４０の駆動源であり、ＣＲモータ７０の回転により、キャリッジ４０（記録ヘッド４２）が主走査方向（図３において左右方向）に移動する。このキャリッジ４０の主走査方向における位置は、ＣＲリニアエンコーダ７２により検出可能となっており、これにより制御装置７は、キャリッジ４０の位置、移動方向、移動速度などを検出可能となっている。
【００４３】
ＰＦモータ７１は、上述したように用紙搬送経路中に設けられる各ローラの共通の駆動源であり、その回転量（回転step数）や回転速度は、ＰＦロータリーエンコーダ７３により検出されるようになっている。これにより制御装置７は、用紙搬送経路中に設けられる各ローラの回転量や回転速度を検出可能となっている。
【００４４】
尚、図２において「常時駆動部」とは、図１の駆動ローラ３２、搬送駆動ローラ３５、排出駆動ローラ４４、のこれらローラを示しており、これらローラはＰＦモータ７１の回転に伴い常時回転する。またロックレバー進退機構７６は、ＰＦモータ７１の回転方向切り換えを利用して、ロックレバー４７の進退動作を実行する。
【００４５】
続いて制御装置７について説明する。制御装置７のシステムバスには、制御ＡＳＩＣ６１、ＲＡＭ６２、ＲＯＭ６３、ＥＥＰＲＯＭ６４、ＣＰＵ６５、タイマＩＣ６６が接続されている。ＣＰＵ６５には、制御ＡＳＩＣ６１を介してＣＲリニアエンコーダ７２、ＰＦロータリーエンコーダ７３、用紙検出センサ７４、ＰＷセンサ７５、トレイ収納センサ７６、カバー開閉センサ７７、などの各センサ類やエンコーダからの信号が入力される。
【００４６】
また、プリンタ１の電源をＯＮ／ＯＦＦするための電源ボタン、各種設定／実行ボタン、などの操作部および各種情報を表示する表示部などを備えた操作パネル７８からの信号が入力される。更に、画像読取部８０からの画像読み取りデータが入力され、また画像読取部８０への制御情報が出力される。
【００４７】
ＣＰＵ６５は、プリンタ１の各センサ類やエンコーダ等からの出力信号等に基づいて、プリンタ１（画像読取部８０を含む）の各種制御を実行するための演算処理やその他必要な演算処理を行う。ＲＯＭ６３には、ＣＰＵ６５によるプリンタ１の制御に必要な記録制御プログラム（ファームウェア）等が格納されており、記録制御プログラムの処理に必要な各種データ等はＥＥＰＲＯＭ６４に記憶されている。ＲＡＭ６２は、ＣＰＵ６５の作業領域や記録データ等の一時格納領域として使用される。
【００４８】
制御ＡＳＩＣ６１は、ＤＣモータであるＣＲモータ７０、ＰＦモータ７１、の回転制御並びに記録ヘッド４２の駆動制御を行うための制御回路（ＣＲモータドライバ６８、ＰＦモータドライバ６９、ヘッドドライバ６８）を有している。制御ＡＳＩＣ６１は、ＣＰＵ６５から送られてくる制御命令、ＰＦロータリーエンコーダ７３の出力信号、ＣＲリニアエンコーダ７２の出力信号、に基づいて、上記各モータの回転制御を行うための各種演算を行い、その演算結果に基づくモータ制御信号をＣＲモータドライバ６８やＰＦモータドライバ６９へ送出する。
【００４９】
また、制御ＡＳＩＣ６１は、ＣＰＵ６５から送出される記録データ等に基づいて、記録ヘッド４２の制御信号を演算生成してヘッドドライバ６７へ送出し、記録ヘッド４２を駆動制御する。更に制御ＡＳＩＣ６１は、第１センサ制御部８１及び第２センサ制御部８２を備えており、これらセンサ制御部により、各センサ類への電力供給／遮断の切替制御が行われる。
【００５０】
ここで、第１センサ制御部８１は、ＣＲリニアエンコーダ７２、ＰＦロータリーエンコーダ７３、カバー開閉センサ７７、のこれらセンサに対する給電を制御し、また第２センサ制御部８２は、用紙検出センサ７４、ＰＷセンサ７５、トレイ収納センサ７６、のこれらセンサに対する給電を制御する。尚、カバー開閉センサ７７は、画像読取部８０が備える原稿台（図示せず）を覆うカバー（図示せず）の開閉を検知するセンサである。
【００５１】
続いて図４を参照しながら省電力モード移行までのプロセスについて説明する。省電力モードへの移行は、記録ヘッド４２がキャッピング装置４８によってキャップされた状態であること（ステップＳ１０１でＹｅｓ）、用紙が搬送経路内に無い状態であること（ステップＳ１０２でＹｅｓ）、所定時間以上データ入力待ちであること（ステップＳ１０３でＹｅｓ）、所定時間以上ボタン操作が無いこと（ステップＳ１０４でＹｅｓ）、画像読取部８０のカバーが閉じていること（ステップＳ１０５でＹｅｓ）、の全てを満たす場合に行われる。
【００５２】
そして装置の現在状態を記憶し（ステップＳ１０６）、その後に、省電力モードへ移行する（ステップＳ１０７）。この省電力モードでは、各駆動部および第２センサ制御部８２により給電制御が行われるセンサ群（用紙検出センサ７４、ＰＷセンサ７５、トレイ収納センサ７６）への電力供給を停止するが、第１センサ制御部８２により給電制御が行われるセンサ群（ＣＲリニアエンコーダ７２、ＰＦロータリーエンコーダ７３、カバー開閉センサ８０）への電力供給は継続する。
【００５３】
次いで、省電力モードの解除プロセスについて図５を参照しながら説明する。省電力モードの解除は、カバー開閉センサ７７が状態変化を検出したこと（ステップＳ２０１でＹｅｓ）、或いはＰＦロータリーエンコーダ７３が状態変化を検出したこと（ステップＳ２０２でＹｅｓ）、或いはＣＲリニアエンコーダ７２が状態変化を検出したこと（ステップＳ２０３でＹｅｓ）、のこれらのうちいずれかが生じた場合に行われる。
【００５４】
ＰＦロータリーエンコーダ７３或いはＣＲリニアエンコーダ７２が状態変化を検出した場合には、その変化量を記憶し（ステップＳ２０４）、次いで給電を停止していた各駆動部および第２センサ制御部８２により電源制御が行われるセンサ群への給電を再開し（ステップＳ２０５）、省電力モード復帰時Ｉ／Ｓ（インク系システム）動作を実行し（ステップＳ２０６）、キャリッジ４０をホームポジションに戻す（ステップＳ２０７）。尚、省電力モード復帰時Ｉ／Ｓ動作には、記録ヘッド４２のメンテナンス動作（インク吐出ノズルからインクの空吐出を行うフラッシング動作や、インク吐出ノズルからのインク吸引動作など）が含まれる。
【００５５】
次に、トレイ１０が収納位置にあるか否かを判断し（ステップＳ２０８）、トレイ１０が収納位置にない場合には、トレイ１０をセット位置に向けて搬送し（ステップＳ２０９）、操作パネル部７８の表示部に省電力モード移行前の表示内容（行うべきユーザアクション）を表示する（ステップＳ２１０）。
【００５６】
以上説明したように、制御装置７は、省電力モードにおいて駆動部としてのキャリッジ４０の動作を検出するＣＲリニアエンコーダ７２への電力供給を継続するとともにキャリッジ４０の動作量を監視するので、省電力モードを解除した後に、キャリッジ４０のホームポジションシークを行うことなく当該キャリッジ４０の現在位置を把握することができる。従って省電力モードの状態で記録実行指令を受けると、速やかに記録動作を開始することができる。
【００５７】
また制御装置７は、省電力モードにおいて駆動部としての搬送駆動ローラ３５の動作を検出するＰＦロータリーエンコーダ７３への電力供給を継続するとともに搬送駆動ローラ３５の動作量を監視し、ＰＦロータリーエンコーダ７３の状態変化を検出した際には省電力モードを解除するので、ユーザが何らかの操作を行うべくトレイ１０を動かすと省電力モードが解除され、従ってトレイ１０を用いた記録動作を速やかに開始することができる。
【００５８】
更に制御装置７は、省電力モードの解除後、記録ヘッド４２のメンテナンス動作を実行するので（ステップＳ２０６）、省電力モードにおいてプリンタ１に何らかの衝撃が加わり、インク吐出ノズル内に気泡が生じたような場合でも、そのような状態が解消され、良好な記録結果を得ることができる。
【図面の簡単な説明】
【００５９】
【図１】本発明に係るプリンタの用紙搬送経路を示す側断面図。
【図２】本発明に係るプリンタの制御装置を中心とした制御系のブロック図。
【図３】キャリッジの移動領域を模式的に示す説明図。
【図４】省電力モード移行までのプロセスを示すフローチャート。
【図５】省電力モードを解除する際のプロセスを示すフローチャート。
【符号の説明】
【００６０】
１  インクジェットプリンタ、２  給送装置、４  記録手段、５  搬送手段、６  排出手段、７  制御装置、８Ａ、８Ｂ  サイドフレーム、１０  ディスクトレイ、１１  用紙カセット、１２  分離部材、１６  ピックアップローラ、１７  揺動部材、１８  揺動軸、２０  従動ローラ、２１  分離手段、２２  分離ローラ、２３  駆動ローラ、２５  第１中間送り部、２６  駆動ローラ、２７  アシストローラ、２９  従動ローラ、３１  第２中間送り部、３２  駆動ローラ、３３  アシストローラ、３５  搬送駆動ローラ、３６  搬送従動ローラ、３７  紙案内上、３９  紙案内前、４０  キャリッジ、４１  キャリッジガイド軸、４２  記録ヘッド、４４  排出駆動ローラ、４５  排出従動ローラ、４６  排紙フレーム、４７  ロックレバー、４８  キャッピング装置、５０  動力伝達切換装置、６１  制御ＡＳＩＣ、６２  ＲＡＭ、６３  ＲＯＭ、６４  ＥＥＰＲＯＭ、６５  ＣＰＵ、６６  タイマＩＣ、６７  ヘッドドライバ、６８  ＣＲモータドライバ、６９  ＰＦモータドライバ、７０  ＣＲモータ、７１  ＰＦモータ、７２  ＣＲリニアエンコーダ、７３  ＰＦロータリーエンコーダ、７４  用紙検出センサ、７５  ＰＷセンサ、７６  トレイ収納センサ、７７  カバー開閉センサ、７８  操作パネル、８０  画像読取部、８１  第１センサ制御部、８２  第２センサ制御部、Ｐ  記録用紙
【図１】
2009298060.tif 000003
【図２】
2009298060.tif 000004
【図３】
2009298060.tif 000005
【図４】
2009298060.tif 000006
【図５】
2009298060.tif 000007